(57)【要約】【課題】ディジタル加入者回線信号を、信号の回り込みによる信号品質の劣化を防止しつつ光信号に変換し、光ファイバ伝送路による長距離伝送を利用できる加入者系光ファイバ伝送システムを実現する。【解決手段】加入者宅１００からのＡＤＳＬ上り信号は、ハイブリッド回路２１２に入力され、ＡＤＳＬ下り信号の周波数帯域を遮断するローパスフィルタ２１７を介して光信号に変換され、局舎側信号変換装置４１０で元のＡＤＳＬ上り信号に変換された後に、ハイブリッド回路回路４１２を介して出力される。同様に、スプリッタ４２０側からのＡＤＳＬ下り信号は、ハイブリッド回路４１２に入力され、ＡＤＳＬ上り信号の周波数帯域を遮断するハイパスフィルタ４１７を介して光信号に変換され、加入者側信号変換装置２１０で元のＡＤＳＬ下り信号に変換された後に、ハイブリッド回路回路２１２を介して加入者宅１００出力される。【選択図】      図１
2004179972.tif 000002
【特許請求の範囲】
【請求項１】
第１の周波数帯域を用いる第１のディジタル加入者回線信号を第１の光信号に変換して第１の信号変換装置から第２の信号変換装置に光ファイバ伝送路を用いて送信し、前記第１の周波数帯域よりも高い第２の周波数帯域を用いる第２のディジタル加入者回線信号を第２の光信号に変換し前記第２の信号変換装置から前記第１の信号変換装置に光ファイバ伝送路を用いて送信する加入者系光ファイバ伝送システムにおいて、
前記第１の信号変換装置は、
入力された前記第１のディジタル加入者回線信号を前記第２の信号変換装置側に出力し、前記第２の信号変換装置側から送信されてきた前記第２のディジタル加入者回線信号を出力する第１のハイブリッド回路と、
前記第１のハイブリッド回路の前記第２の信号変換装置側の出力に接続され、前記第２の周波数帯域を遮断するローパスフィルタと、
前記ローパスフィルタから出力された前記第１のディジタル加入者回線信号を前記第１の光信号に変換し、前記光ファイバ伝送路に送出する第１の電気／光変換部と、
前記光ファイバ伝送路から出力された前記第２の光信号を、前記第２のディジタル加入者回線信号に変換して前記第１のハイブリッド回路に送信するする第１の光／電気変換部とを有し、
前記第２の信号変換装置は、
入力された前記第２のディジタル加入者回線信号を前記第１の信号変換装置側に出力し、前記第１の信号変換装置側から送信されてきた前記第１のディジタル加入者回線信号を出力する第２のハイブリッド回路と、
前記第２のハイブリッド回路の前記第１の信号変換装置側の出力に接続され、前記第１の周波数帯域を遮断するハイパスフィルタと、
前記ハイパスフィルタから出力された前記第２のディジタル加入者回線信号を前記第２の光信号に変換し、前記光ファイバ伝送路に送出する第２の電気／光変換部と、
前記光ファイバ伝送路から出力された前記第１の光信号を、前記第１のディジタル加入者回線信号に変換して前記第２のハイブリッド回路に送信する第２の光／電気変換部と
を有することを特徴とする加入者系光ファイバ伝送システム。
【請求項２】
請求項１記載の加入者系光ファイバ伝送システムにおいて、
前記第１のハイブリッド回路と前記ローパスフィルタの間に設けられ、切り替えることによって前記第１のハイブリッド回路の前記第２の信号変換装置側の出力と前記第１の電気／光変換部とを、前記ローパスフィルタを介さずに接続する第１のスイッチ回路と、
前記第２のハイブリッド回路と前記ハイパスフィルタの間に設けられ、切り替えることによって前記第２のハイブリッド回路の前記第１の信号変換装置側の出力と前記第２の電気／光変換部とを、前記ハイパスフィルタを介さずに接続する第２のスイッチ回路と、
を有することを特徴とする加入者系光ファイバ伝送システム。
【請求項３】
請求項１又は２記載の加入者系光ファイバ伝送システムにおいて、
第１の信号変換装置は複数の前記第１のディジタル加入者回線信号を互いに異なる周波数領域に変換した後に多重化して第１の多重化信号を生成する前記第１の多重変調部を有し、前記第１の電気／光変換部は前記第１の多重化信号の情報が副搬送波成分中に重畳された前記第１の光信号を生成し、
前記第２の信号変換装置は複数の前記第２のディジタル加入者回線信号を互いに異なる周波数領域に変換した後に多重化して第２の多重化信号を生成する前記第２の多重変調部を有し、前記第２の電気／光変換部は前記第２の多重化信号の情報が副搬送波成分中に重畳された前記第２の光信号を生成する
ことを特徴とする加入者系光ファイバ伝送システム。
【発明の詳細な説明】
【０００１】
【発明の属する技術分野】
この発明は、メタリック線上を流れるｘＤＳＬ（：ｘ  Ｄｉｇｉｔａｌ  Ｓｕｂｓｃｒｉｂｅｒ  Ｌｉｎｅ；ディジタル加入者回線）信号を多重化し、光信号に変換して光ファイバ上を伝送させる加入者系光ファイバ伝送システムに関するものである。
【０００２】
【従来の技術】
近年、高速なインターネットへの接続手段として、ｘＤＳＬ（：ｘ  Ｄｉｇｉｔａｌ  Ｓｕｂｓｃｒｉｂｅｒ  Ｌｉｎｅ；ディジタル加入者回線）が注目されている。ｘＤＳＬとは、より対線を用いた高速ディジタル通信技術であり、音声帯域とは別の帯域を利用することで、広帯域に変調された信号を既存のアナログ電話網（メタリック線）経由で送受信する技術である。
【０００３】
このｘＤＳＬ技術は、信号速度，変調方式の違いなどによりいくつかの種類に分類される。例えば、上り下りの速度が対象で最大２Ｍｂｐｓ程度のＳＤＳＬ（：Ｓｙｍｍｅｔｒｉｃ  Ｄｉｇｉｔａｌ  Ｓｕｂｓｃｒｉｂｅｒ  Ｌｉｎｅ）や、上りの速度が最大１Ｍｂｐｓ程度で下りの速度が最大８Ｍｂｐｓ程度のＡＤＳＬ（：Ａｓｙｍｍｅｔｒｉｃ  Ｄｉｇｉｔａｌ  Ｓｕｂｓｃｒｉｂｅｒ  Ｌｉｎｅ）、上りの速度が最大６Ｍｂｐｓ程度で下りの速度が最大５５ＭｂｐｓのＶＤＳＬ（：Ｖｅｒｙ  Ｈｉｇｈ−Ｂｉｔ−Ｒａｔｅ  Ｄｉｇｉｔａｌ  Ｓｕｂｓｃｒｉｂｅｒ  Ｌｉｎｅ）などがある。これらｘＤＳＬ技術の詳細に関しては、例えば後述の非特許文献１，２に記載されている。
【０００４】
次に、上記非特許文献１，２等で説明されている一般的なｘＤＳＬサービスの構成例を、図７を用いて説明する。図７におけるユーザ宅７１０には、既存のメタリック線７２０を流れるアナログ電気信号中の、電話７１３で使用する周波数帯域とｘＤＳＬで使用する周波数帯域とを多重分離するスプリッタ７１４と、ＰＣ７１２からのディジタル電気信号とｘＤＳＬ信号間の変復調を行なうｘＤＳＬモデム７１１が設けられている。
【０００５】
また局舎７３０には、ユーザ宅７１０からの、電話信号とｘＤＳＬ信号が多重された電気信号の多重分離を行なうスプリッタ７３１と、ユーザ宅７１０からの電話信号を既存の電話網へと接続するための交換機７３２と、ユーザ宅７１０を含む複数のユーザ宅からのｘＤＳＬ信号を終端するＤＳＬＡＭ（：Ｄｉｇｉｔａｌ  Ｓｕｂｓｃｒｉｂｅｒ  Ｌｉｎｅ  ＡｃｃｅｓｓＭｕｌｔｉｐｌｅｘｅｒ）７３３が設けられている。
【０００６】
これらの機器を使用することにより、既存の電話網と共存しながらユーザ宅と局舎間をｘＤＳＬ信号で接続することが可能となり、高速なインターネット接続を提供することが可能となる。
【０００７】
一方、高速なアクセス回線を提供する他の手段としては、光ファイバ伝送路を用いたＦＴＴＨ（：Ｆｉｂｅｒ  Ｔｏ  Ｔｈｅ  Ｈｏｍｅ）も実用段階に入ってきている。これは、通信事業者の局舎から家庭までを光ファイバで接続し、高速なインターネット接続環境を提供するものである。
【０００８】
しかしながら、光ファイバのコストや敷設のための工事費は、既存のメタリック回線のそれと比べて非常に高価なものとなっている。そのため、通信事業者の局舎から、「き線点」と呼ばれるケーブルが地下の管路から地上に上がるポイントまで光ファイバを敷設し、その先は既存のメタリック回線で接続する光ファイバ伝送システムが普及している。
【０００９】
このシステムは既存のメタリック回線の電話回線を効率良く収容し、かつ宅内に光ファイバを引き込む場合も迅速に対応することができるという特徴を持っている。ところが、このような光ファイバ伝送システムは、既存の電話網を効率的に収容することを主な目的として設計されているため、電話と比べて高い周波数帯域を使用するｘＤＳＬの信号は、この光ファイバ伝送システムを通過することができない。そのためこの光ファイバ伝送システムで収容されているユーザ（一般に光収容と呼ばれている）は、ｘＤＳＬのサービスを受けることができない。
【００１０】
【非特許文献１】
「ｘＤＳＬ／ＦＴＴＨ教科書」，１９９９年初版発行
【非特許文献２】
「ｘＤＳＬアクセス技術」，電子情報通信学会誌Ｖｏｌ８４，Ｎｏ２（２００１年２月）ｐ．８４−９１
【特許文献１】
特開２０００−３０８１０１号公報
【特許文献２】
特開２００１−１４５１８５号公報
【００１１】
【発明が解決しようとする課題】
このような光ファイバ伝送システムでｘＤＳＬサービスを享受する方法として、一般に、上記き線点に設置されているＯＮＵ（：Ｏｐｔｉｃａｌ  Ｎｅｔｗｏｒｋ  Ｕｎｉｔ）と呼ばれる電気信号と光信号の変換を行なう装置の側に、従来局舎に置かれていたＤＳＬＡＭを設置し、ｘＤＳＬ信号を終端して処理する方法が考えられる。
【００１２】
しかしながらこのＤＳＬＡＭではｘＤＳＬ信号の変復調やフォーマット変換、また多重分離等の複雑な処理を各ユーザ毎に行なう必要がある。このため、そのサイズの大きさや消費電力の観点から、省スペース化が要求されるＯＮＵの側に収容することは非常に困難である。
【００１３】
またｘＤＳＬサービスは、将来的にサービスの仕様が変更される可能性があるため、その都度、遠隔地に設置されたＯＮＵ装置に作業員が出向き、基盤の改修や交換作業を行なうことは非常に効率が悪い。そのためＤＳＬＡＭ装置はできるだけ局舎に設置されることが望まれている。
【００１４】
以上の課題から、小型で低消費電力でありながらｘＤＳＬ信号を通過させることができるＯＮＵ装置の実現方法が求められていた。
【００１５】
【課題を解決するための手段】
上記課題を解決するために、本発明の加入者系光ファイバ伝送システムは、第１の周波数帯域を用いる第１のディジタル加入者回線信号を第１の光信号に変換して第１の信号変換装置から第２の信号変換装置に光ファイバ伝送路を用いて送信し、第１の周波数帯域よりも高い第２の周波数帯域を用いる第２のディジタル加入者回線信号を第２の光信号に変換し第２の信号変換装置から第１の信号変換装置に光ファイバ伝送路を用いて送信する構成とする。
【００１６】
第１の信号変換装置は、入力された第１のディジタル加入者回線信号を第２の信号変換装置側に出力し、第２の信号変換装置側から送信されてきた第２のディジタル加入者回線信号を出力する第１のハイブリッド回路と、この第１のハイブリッド回路の第２の信号変換装置側の出力に接続されて第２の周波数帯域を遮断するローパスフィルタと、このローパスフィルタから出力された第１のディジタル加入者回線信号を第１の光信号に変換して光ファイバ伝送路に送出する第１の電気／光変換部と、この光ファイバ伝送路から出力された第２の光信号を第２のディジタル加入者回線信号に変換して上記第１のハイブリッド回路に送信するする第１の光／電気変換部とを有する。
【００１７】
そして、第２の信号変換装置は、入力された第２のディジタル加入者回線信号を第１の信号変換装置側に出力し、第１の信号変換装置側から送信されてきた第１のディジタル加入者回線信号を出力する第２のハイブリッド回路と、この第２のハイブリッド回路の第１の信号変換装置側の出力に接続されて第１の周波数帯域を遮断するハイパスフィルタと、このハイパスフィルタから出力された第２のディジタル加入者回線信号を第２の光信号に変換して光ファイバ伝送路に送出する第２の電気／光変換部と、この光ファイバ伝送路から出力された第１の光信号を第１のディジタル加入者回線信号に変換して上記第２のハイブリッド回路に送信する第２の光／電気変換部とを有する。
【００１８】
【発明の実施の形態】
（第１の実施例）
まず、この発明の加入者系光ファイバ伝送システムを適用した第１の実施例の、ネットワーク構成の概要を、図２を用いて説明する。
【００１９】
この第１の実施例は、本発明の加入者系光ファイバ伝送システムをｘＤＳＬサービス、特にＡＤＳＬサービスに適用したものであり、複数の加入者宅１００＃１，１００＃２，．．．，１００＃Ｎからの複数の電気信号が、き線点に設置されてＯＮＵを収容しているＲＯ（：Ｒｅｍｏｔｅ  Ｏｆｆｉｃｅ）２００で多重されて、光ファイバ伝送路３００を介して局舎４００に伝送されると共に、逆の道順で公衆電話網５００やＩＰ（：Ｉｎｔｅｒｎｅｔ  Ｐｒｏｔｏｃｏｌ）網６００からの電気信号が、複数の加入者宅１００＃１，１００＃２，．．．，１００＃Ｎに伝送される構成となっている。
【００２０】
この図２に示した構成において、局舎４００からき線点（図におけるＲＯ２００）までが光ファイバ伝送路３００で接続されており、き線点から加入者宅１００＃１，１００＃２，．．．，１００＃Ｎまでは従来のメタリック線で接続されている。
【００２１】
各加入者宅１００＃１，１００＃２，．．．，１００＃Ｎ、例えば加入者宅１００＃１には、既存のメタリック線を流れるアナログ電気信号中の、電話１０１で使用する周波数帯域とｘＤＳＬで使用する周波数帯域とを多重分離するスプリッタ１０２と、ＰＣ１０３からのディジタル電気信号とｘＤＳＬ信号間の変復調を行なうＡＤＳＬモデム１０４が設けられている。
【００２２】
複数の加入者宅１００＃１，１００＃２，．．．，１００＃Ｎを収容するＲＯ２００には、加入者側信号変換装置２１０が設けられている。
【００２３】
この加入者側信号変換装置２１０は、各加入者宅１００＃１，１００＃２，．．．，１００＃Ｎからの電話信号とＡＤＳＬ信号が多重された電気信号を受け、各加入者のＡＤＳＬ信号を各加入者の信号毎に異なる周波数領域に変換した後に多重化し、この多重化されたＡＤＳＬ信号の情報が副搬送波成分中に重畳された光信号に変換して送信する。
【００２４】
さらに、この加入者側信号変換装置２１０は、受信した光信号中の副搬送波成分中に重畳されている多重化されたＡＤＳＬ信号の情報を、各加入者宅１００＃１，１００＃２，．．．，１００＃Ｎ毎に分離してＡＤＳＬ信号本来の周波数領域に変換し、各加入者宅への電話信号とＡＤＳＬ信号が多重された電気信号を生成する。
【００２５】
そして、このＲＯ２００と光ファイバ伝送路３００で接続された局舎４００には、局舎側信号変換装置４１０が設けられている。
【００２６】
この局舎側信号変換装置４１０は、受信した光信号中の副搬送波成分中に重畳されている多重化されたＡＤＳＬ信号の情報を、各加入者宅１００＃１，１００＃２，．．．，１００＃Ｎ毎に分離してＡＤＳＬ信号本来の周波数領域に変換し、各加入者宅毎の、電話信号とＡＤＳＬ信号が多重された電気信号を生成する。
【００２７】
さらに、この局舎側信号変換装置４１０は、各加入者宅１００＃１，１００＃２，．．．，１００＃Ｎ宛の電話信号とＡＤＳＬ信号が多重された電気信号を受け、各加入者のＡＤＳＬ信号を各加入者の信号毎に異なる周波数領域に変換した後に多重化し、この多重されたＡＤＳＬ信号の情報が副搬送波成分中に重畳された光信号に変換して送信する。
【００２８】
局舎側信号変換装置４１０は、各加入者宅１００＃１，１００＃２，．．．，１００＃Ｎに対応したスプリッタ４２０＃１，４２０＃２，．．．，４２０＃Ｎに接続されている。このスプリッタ４２０＃１，４２０＃２，．．．，４２０＃Ｎは、電話信号とＡＤＳＬ信号の分離／多重を行う。
【００２９】
即ち、局舎側信号変換装置４１０から出力された電気信号は、このスプリッタ４２０＃１，４２０＃２，．．．，４２０＃Ｎで電話信号とＡＤＳＬ信号に分離され、電話信号は公衆電話網５００に供給され、ＡＤＳＬ信号はＤＳＬＡＭ４３０でディジタル電気信号に変換され、ＩＰ網６００に供給される。逆に、ＤＳＬＡＭ４３０からのＡＤＳＬ信号と公衆電話網５００からの電話信号は、このスプリッタ４２０＃１，４２０＃２，．．．，４２０＃Ｎで多重され、局舎側信号変換装置４１０に供給される。
【００３０】
次に、この第１の実施例の、加入者側信号変換装置２１０と局舎側信号変換装置４１０間の構成を、図３を用いて説明する。
【００３１】
加入者側信号変換装置２１０は、スプリッタ２１１＃１，２１１＃２，．．．，２１１＃Ｎ，ハイブリッド回路２１２＃１，２１２＃２，．．．，２１２＃Ｎ，多重変調部２１３，電気／光（：Ｅ／Ｏ）変換部２１４，光／電気（：Ｏ／Ｅ）変換部２１５，分離復調部２１６及びローパスフィルタ（：ＬＰＦ）２１７＃１，２１７＃２，．．．，２１７＃Ｎから構成されている。
【００３２】
同様に局舎側信号変換装置４１０は、スプリッタ４１１＃１，４１１＃２，．．．，４１１＃Ｎ，ハイブリッド回路４１２＃１，４１２＃２，．．．，４１２＃Ｎ，多重変調部４１３，電気／光変換部４１４，光／電気変換部４１５，分離復調部４１６及びハイパスフィルタ（：ＨＰＦ）４１７＃１，４１７＃２，．．．，４１７＃Ｎから構成されている。
【００３３】
そして、光ファイバ３０１を介して、加入者側信号変換装置２１０から局舎側信号変換装置４１０への上りの光信号伝送が行われ、光ファイバ３０２を介して下りの光信号伝送が行われる。
【００３４】
この実施例の動作を、加入者宅側からＡＤＳＬ上り信号を伝送する場合を例にとって説明する。
ＡＤＳＬサービスでは、電話信号，ＡＤＳＬ上り信号及びＡＤＳＬ下り信号が、異なる周波数帯域を利用することで、１対のメタリック線を共用た双方向の伝送を実現している。
【００３５】
そしてこのとき、図４の（Ａ）に示すように、電話信号，ＡＤＳＬ上り信号，ＡＤＳＬ下り信号の順に、より高い信号帯域を伝送に用いる構成となっている。
【００３６】
よって、加入者宅１００＃１，１００＃２，．．．，１００＃ＮからＡＤＳＬ上り信号を送信する場合、加入者宅１００＃１，１００＃２，．．．，１００＃Ｎと加入者側信号変換装置２１０を結ぶメタリック線上には、電話信号，ＡＤＳＬ上り信号，ＡＤＳＬ下り信号が重畳されていることになる。
【００３７】
そこで、まずスプリッタ２１１＃１，２１１＃２，．．．，２１１＃Ｎによって、電話信号成分のみを抽出し、電話通信装置２２０に供給する。電話通信装置２２０はメタリック線や光ファイバ伝送線路を用いて電話通信装置４４０と接続し、電話信号の送受を行う構成であるが、本発明とは直接関係ない構成なので、具体的な構成の説明は省略する。
【００３８】
これらスプリッタ２１１＃１，２１１＃２，．．．，２１１＃Ｎによって電話信号が除去された結果、伝送線路中には、図４の（Ｂ）に示すように、ＡＤＳＬ上り信号とＡＤＳＬ下り信号のみが存在することになる。
【００３９】
そして、ＡＤＳＬ上り信号は、１対／２対変換を行うハイブリッド回路２１２＃１，２１２＃２，．．．，２１２＃Ｎを介してローパスフィルタ２１７＃１，２１７＃２，．．．，２１７＃Ｎに入力される。
【００４０】
上述の通りＡＤＳＬ上り信号はＡＤＳＬ下り信号よりも低い周波数帯域を利用しており、各ローパスフィルタ２１７＃１，２１７＃２，．．．，２１７＃Ｎの遮断周波数を調整することで、ＡＤＳＬ下り信号を遮断する。この結果、ローパスフィルタ２１７＃１，２１７＃２，．．．，２１７＃Ｎからの出力は、図４の（Ｃ）に示すように、ＡＤＳＬ上り信号のみとなる。
【００４１】
このようにして抽出された、各加入者宅１００＃１，１００＃２，．．．，１００＃ＮからのＡＤＳＬ上り信号は、多重変調部２１３に供給される。
【００４２】
多重変調部２１３は、図５に示すように、（Ａ），（Ｂ），（Ｃ）に示したような各加入者宅＃１，＃２，．．．，＃ＮのＡＤＳＬ上り信号＃１，＃２，．．．，＃Ｎを互いに異なる周波数領域に周波数変換し、（Ｄ）に示すように互いに干渉することなく多重化された電気信号として出力する。
【００４３】
この多重変調部２１３の出力は、電気／光変換部２１４に供給される。この電気／光変換部２１４は、上述の多重化された電気信号を、この多重化された電気信号の情報が副搬送波成分中に重畳された光信号に変換し、光ファイバ３０１に出力する。
【００４４】
光ファイバ３０１を伝送された光信号は局舎側信号変換装置４１０側の光／電気変換部４１５に供給される。
【００４５】
光／電気変換部４１５では、供給された光信号の副搬送波成分中から上記多重化された電気信号の情報を抽出し、電気信号に変換して分離復調部４１６に供給する。
【００４６】
この分離復調部４１６は、供給された電気信号を、分配器によって収容する加入者宅＃１，＃２，．．．，＃Ｎの数だけ分配し、分配された各々の電気信号の上記図５（Ｄ）に示した各周波数領域から、ＡＤＳＬ上り信号＃１，＃２，．．．，＃Ｎに対応した成分を各々抽出する。そして、抽出されたＡＤＳＬ上り信号＃１，＃２，．．．，＃Ｎに対応した成分を、各々、図５（Ａ）〜（Ｃ）に示した本来のＡＤＳＬ上り信号＃１，＃２，．．．，＃Ｎの周波数領域に周波数変換して出力する。
【００４７】
分離復調部４１６から出力されたＡＤＳＬ上り信号＃１，＃２，．．．，＃Ｎは、各々ハイブリッド回路４１２＃１，４１２＃２，．．．，４１２＃Ｎを介してスプリッタ４１１＃１，４１１＃２，．．．，４１１＃Ｎに入力される。
【００４８】
そしてこのスプリッタ４１１＃１，４１１＃２，．．．，４１１＃Ｎにおいて、上述の電話通信装置４４０からの電話信号成分が重畳され、スプリッタ４２０＃１，４２０＃２，．．．，４２０＃Ｎに出力される。
【００４９】
以上が加入者宅側からＡＤＳＬ上り信号を伝送する場合であり、スプリッタ４２０＃１，４２０＃２，．．．，４２０＃Ｎ側からＡＤＳＬ下り信号を伝送する場合は、上述と同様の処理が、加入者側信号変換装置２１０と局舎側信号変換装置４１０の役割を入れ替えて実行される。
【００５０】
即ち、スプリッタ４２０＃１，４２０＃２，．．．，４２０＃Ｎ側から各加入者宅１００＃１，１００＃２，．．．，１００＃Ｎに向けてＡＤＳＬ下り信号を送信する場合、スプリッタ４２０＃１，４２０＃２，．．．，４２０＃Ｎと局舎側信号変換装置４１０を結ぶメタリック線上には、電話信号，ＡＤＳＬ上り信号，ＡＤＳＬ下り信号が重畳されていることになる。
【００５１】
そこで、まずスプリッタ４１１＃１，４１１＃２，．．．，４１１＃Ｎによって、電話信号を除去し、伝送線路中にＡＤＳＬ上り信号とＡＤＳＬ下り信号のみが存在する状態とする。
【００５２】
そして、ＡＤＳＬ下り信号は、ハイブリッド回路４１２＃１，４１２＃２，．．．，４１２＃Ｎを介してハイパスフィルタ４１７＃１，４１７＃２，．．．，４１７＃Ｎに入力される。
【００５３】
上述の通りＡＤＳＬ下り信号はＡＤＳＬ上り信号よりも高い周波数帯域を利用しており、各ハイパスフィルタ４１７＃１，４１７＃２，．．．，４１７＃Ｎの遮断周波数を調整することで、ＡＤＳＬ上り信号を遮断する。この結果、ハイパスフィルタ４１７＃１，４１７＃２，．．．，４１７＃Ｎからの出力は、ＡＤＳＬ下り信号のみとなる。
【００５４】
このようにして抽出された、各加入者宅１００＃１，１００＃２，．．．，１００＃Ｎ向けのＡＤＳＬ下り信号は、多重変調部４１３に供給される。
【００５５】
ここで、多重変調部２１３における処理と同様に、各加入者宅＃１，＃２，．．．，＃Ｎ向けのＡＤＳＬ下り信号を互いに異なる周波数領域に周波数変換し、互いに干渉することなく多重化された電気信号として出力する。
【００５６】
この多重変調部４１３の出力は、電気／光変換部４１４に供給される。この電気／光変換部４１４は、上述の多重化された電気信号を、この多重化された電気信号の情報が副搬送波成分中に重畳された光信号に変換し、光ファイバ３０２に出力する。これ以降の光／電気変換部２１５，分離復調部２１６，ハイブリッド回路２１２＃１，２１２＃２，．．．，２１２＃Ｎ，スプリッタ２１１＃１，２１１＃２，．．．，２１１＃Ｎにおける処理についても、上述の光／電気変換部４１５，分離復調部４１６，ハイブリッド回路４１２＃１，４１２＃２，．．．，４１２＃Ｎ，スプリッタ４１１＃１，４１１＃２，．．．，４１１＃Ｎにおける処理と同様なので、説明は省略する。
【００５７】
以上のように、第１の実施例によれば、既存のＡＤＳＬ装置を変更することなく、光ファイバにより長距離伝送を実現し、かつ、光ファイバの広帯域特性によりメタル回線で発生するような伝送劣化が生じないＡＤＳＬサービスを提供できる。
【００５８】
そして、この実施例では、加入者側信号変換装置２１０と局舎側信号変換装置４１０の１対／２対変換を行うハイブリッド回路２１２，４１２の出力部に、各々所定のローパスフィルタ２１７，ハイパスフィルタ４１７を配置して、各信号帯域のみを通過する構成としている。このような構成とすることで、加入者側信号変換装置２１０から送信されたＡＤＳＬ上り信号が局舎側信号変換装置４１０で受信された後にハイブリッド回路４１２を通して、再度加入者側信号変換装置２１０へ送信され、ハイブリッド回路２１２で本来のＡＤＳＬ上り信号に重畳されて信号品質が劣化することを防止することができる。
【００５９】
（第２の実施例）
次にこの発明の第２の実施例について説明する。
この第２の実施例も本発明の加入者系光ファイバ伝送システムをｘＤＳＬサービス、特にＡＤＳＬサービスに適用したものであり、基本的な構成は図２に示した第１の実施例と同一なので、第１の実施例との差異の部分について、図１及び図７を用いて説明する。
【００６０】
図１は、図３を用いて説明した第１の実施例の加入者側信号変換装置２１０と局舎側信号変換装置４１０の間の構成を、特定の加入者宅１００に対するＡＤＳＬ信号の伝送に絞って記載したものであり、図３と同一の構成については同一の符号を付している。また、図３に記載されているスプリッタ２１１，４１１については記載を省略する。
【００６１】
この図１に示した構成は、上述の通り、ハイブリッド回路２１２，４１２の出力部に、各々所定のローパスフィルタ２１７，ハイパスフィルタ４１７を配置して、各信号帯域のみを通過する構成とし、ＡＤＳＬ上り信号の回り込みによる信号品質の劣化を防止する構成となっている点が特徴である。
【００６２】
それに対して図７が、上記図１に対応させた第２の実施例の構成であり、第１の実施例と同様の構成については同一の符号を付している。この第２の実施例は、第１の実施例の加入者側信号変換装置２１０のハイブリッド回路２１２とローパスフィルタ２１７の間にスイッチ回路２１８を、局舎側信号変換装置４１０のハイブリッド回路４１２とハイパスフィルタ４１７の間にスイッチ回路４１８を各々設けた構成となっている。
【００６３】
そして、スイッチ制御部４５０によってこれらスイッチ回路２１８，４１８を切り替えることによって、ハイブリッド回路２１２からのＡＤＳＬ上り信号、あるいはハイブリッド回路４１２からのＡＤＳＬ下り信号が、ローパスフィルタ２１７あるいはハイパスフィルタ４１７を介さずに、多重変調部２１３あるいは多重変調部４１３構成に供給される点に特徴がある。
【００６４】
このような構成としたのは、ＡＤＳＬの規格の一つである、ＩＴＵ−Ｔ  Ｇ．９９２．１  Ａｎｎｅｘ  Ｃに対応させるためである。このＧ．９９２．１  Ａｎｎｅｘ  Ｃには、運用中のテストモードに関する規定が定められており、テストモード時には、加入者宅１００側から局舎４００側にテスト用の監視信号を送信する。そしてこの監視信号は通常のＡＤＳＬ上り信号と異なり、ＡＤＳＬ下り信号の周波数帯域を利用する。
【００６５】
第１の実施例では、ローパスフィルタ２１７によってＡＤＳＬ下り信号の周波数帯域を常時遮断する構成となっているので、結果的に、この監視信号の伝送を妨げることになる。
【００６６】
それに対してこの実施例の構成の場合、以下のような動作を行うことで、監視信号の伝送を可能とする。なお、上記スイッチ制御部４５０によるスイッチ回路２１８，４１８の切り替え処理以外の、ＡＤＳＬ信号の周波数変換や多重化、光信号の副搬送波成分中への重畳等の処理は、第１の実施例と同一なので、説明を省略する。
【００６７】
まず通常モード時には、スイッチ回路２１８及びスイッチ回路４１８は、ハイブリッド回路２１２と多重変調部２１３を、あるいはハイブリッド回路４１２と多重変調部４１３を、ローパスフィルタ２１７あるいはハイパスフィルタ４１７を介して接続する。この結果、ＡＤＳＬ上り信号あるいはＡＤＳＬ下り信号は、第１の実施例の構成と同様にローパスフィルタ２１７あるいはハイパスフィルタ４１７を介して多重変調部２１３あるいは多重変調部４１３に供給されることになり、ＡＤＳＬ信号の回り込みによる信号品質の劣化を防止した双方向伝送が行われる。
【００６８】
それに対してテストモード時には、スイッチ回路２１８及びスイッチ回路４１８は、スイッチ制御部４５０からの指示に基づいて経路を切り替え、ハイブリッド回路２１２と多重変調部２１３を、あるいはハイブリッド回路４１２と多重変調部４１３を直接接続する。この結果、加入者宅１００側から局舎４００側に送信されるテスト用の監視信号は、フィルタによって遮断されることなく伝送され、Ｇ．９９２．１  Ａｎｎｅｘ  Ｃに対応したＡＤＳＬサービスにこの発明の加入者系光ファイバ伝送システムを適用することが可能となる。
【００６９】
この第２の実施例では、スイッチ回路２１８及びスイッチ回路４１８は、スイッチ制御部４５０からの指示に基づいて経路を切り替える構成となっているが、監視信号の信号レベルが通常のＡＤＳＬ下り信号のレベルよりも高くなることを利用し、特定の周波数帯域のピークレベルが所定の値以上になった場合にスイッチ回路２１８及びスイッチ回路４１８を切り替え、ハイブリッド回路２１２と多重変調部２１３を、あるいはハイブリッド回路４１２と多重変調部４１３を直接接続する構成とすることも可能である。
【００７０】
以上説明した第１及び第２の実施例は、本発明をＡＤＳＬサービスに適応した構成であるが、本発明はＡＤＳＬ以外の他のｘＤＳＬサービスにも適用することが可能である。
【００７１】
また、上記第１及び第２の実施例では、ＡＤＳＬに関連した信号のみを多重化して伝送する構成となっているが、電話信号等の他の信号も合わせて多重化し、伝送することも可能である。
【００７２】
例えば、加入者側信号変換装置２１０側の各ブロック（：ハイブリッド回路２１２，多重変調部２１３，電気／光変換部２１４，光／電気変換部２１５，分離復調部２１６等）の警報や設定値を収集する監視制御部をＲＯ２００中に設け、収集結果の情報を多重変調部２１３で、上記ＡＤＳＬ上り信号を周波数変換した周波数とは異なる周波数帯に重畳し、局舎４００に転送する構成も実現可能である。そして、局舎４００側でこの情報を抽出し、局舎４００側からのＲＯ２００側の制御に利用することができる。
【００７３】
さらに、この局舎４００側からの、ＲＯ２００側の各ブロックの制御に用いる制御信号も、多重変調部４１３で、上記ＡＤＳＬ下り信号を周波数変換した周波数とは異なる周波数帯に重畳し、ＲＯ２００に転送する構成も同様に実現可能である。そしてその場合、加入者側信号変換装置２１０の分離復調部２１６でこの制御信号を抽出し、上記監視制御部で解析後に各ブロックの設定値を変更する。
【００７４】
また、上記各実施例では、ＡＤＳＬ上り信号を変換した光信号とＡＤＳＬ下り信号を変換した光信号は、異なる光ファイバ３０１，３０２を用いて伝送されるが、例えば上りと下りで用いる光信号の波長を異ならせる構成とすることで、双方向の光信号を単一の光ファイバを用いて伝送させることも可能である。
【００７５】
【発明の効果】
以上説明した本発明の構成によって、メタリック線上を流れるディジタル加入者回線信号を、信号の回り込みによる信号品質の劣化を防止しつつ光信号に変換することが可能となり、簡易な構成で光ファイバ伝送路による長距離伝送を利用できる加入者系光ファイバ伝送システムを実現することが可能となる。
【図面の簡単な説明】
【図１】一つの加入者宅１００へのチャネルを例にとって、この発明の第１の実施例における、加入者側信号変換装置２１０と局舎側信号変換装置４１０間の構成を示した図である。
【図２】この発明の加入者系光ファイバ伝送システムを適用する、ネットワーク構成の概要を示した図である。
【図３】この発明の第１の実施例における、加入者側信号変換装置２１０と局舎側信号変換装置４１０間の構成を示した図である。
【図４】この加入者系光ファイバ伝送システムで用いられる各種信号中からＡＤＳＬ上り信号のみを抽出するための、フィルタリングの処理手順を示した図である。
【図５】各加入者宅１００＃１，＃２，．．．，＃Ｎで抽出されたＡＤＳＬ上り信号＃１，＃２，．．．，＃Ｎを周波数変換して多重化する処理手順を示した図である。
【図６】一つの加入者宅１００へのチャネルを例にとって、この発明の第２の実施例における、加入者側信号変換装置２１０と局舎側信号変換装置４１０間の構成を示した図である。
【図７】一般的なＡＤＳＬのサービス構成例を示した図である。
【符号の説明】
１００  加入者宅
１０１  電話
１０２，  ２１１，  ４１１，  ４２０  スプリッタ
１０３  ＰＣ
１０４  ｘＤＳＬモデム
２００  ＲＯ
２１０  加入者側信号変換装置
２１２，４１２  ハイブリッド回路
２１３，  ４１３  多重変調部
２１４，  ４１４  電気／光変換部
２１５，  ４１５  光／電気変換部
２１６，  ４１６  分離復調部
２１７  ローパスフィルタ
２１８，  ４１８  スイッチ回路
２２０，  ４４０  電話通信装置
３００  光ファイバ伝送路
３０１，  ３０２  光ファイバ
４００  局舎
４１０  局舎側信号変換装置
４１７  ハイパスフィルタ
４５０  スイッチ制御部
５００  公衆電話網
６００  ＩＰ網
【図１】
2004179972.tif 000003
【図２】
2004179972.tif 000004
【図３】
2004179972.tif 000005
【図４】
2004179972.tif 000006
【図５】
2004179972.tif 000007
【図６】
2004179972.tif 000008
【図７】
2004179972.tif 000009